(57)【要約】 【課題】  現在のパター練習用具においてパターストロークにとって必要な技術である、ストレートラインの形成と再現力の向上を身に付けることができるパター練習用具を開発すること。【解決手段】  本発明のパター練習用具は、首にかけるためのフレーム部１０１と、パタークラブを固定する固定手段１０２ａ・１０２ｂ・１０２ｃ・１０２ｄとその固定手段１０２ａ・１０２ｂ・１０２ｃ・１０２ｄをフレーム部１０１γに連結する連結手段１０３Ｇ・１０３Ｐ・１０３Ｓとで構成された固定部１０４と、から構成されていて、全体が固定された練習用具にパタークラブを固定し一体化させ、首にかけ首筋を中心とする振り子運動を用いて正しいパターストロークを身に付けられる機能を有するパター練習用具である。【選択図】  図１
2012139357.tif 000002
【特許請求の範囲】
【請求項１】
首にかけるためのフレーム部と、パタークラブを固定する固定手段とその固定手段をフレーム部に連結する連結手段とで構成された固定部と、から成る事を特徴とするパター練習用具。
【請求項２】
フレーム部が首にかけるための首かけ部を有していることを特徴とする請求項１に記載のパター練習用具。
【請求項３】
首かけ部がフレーム部に対して傾斜していることを特徴とする請求項２に記載のパター練習用具。
【発明の詳細な説明】
【技術分野】
【０００１】
本発明はパター練習用具に関する。
【背景技術】
【０００２】
ゴルフ場のグリーン上でパターを使う時グリーンの傾斜がどうであれ目標とする所まではボールを真直ぐ(ストレート)に打っていく事が求められる。そのためには二つの基本条件が必要になってくる。
【０００３】
一つは、ストレートラインを形成する事である、それに付いて説明すると、目標とボールの芯とを直線で結んだ線並びにその後方延長線がストレートラインである。そしてボールの芯から前後約１５センチ位のストレートライン上をパターヘッドの芯即ちスイートスポット部が確実にブレル事無く通過させるために必要となってくるのがストレートラインである。
【０００４】
もう一つは、再現力であり、それについて説明すると、先に説明したストレートラインに対して垂直にパターフェイス面を正しい位置に構え、次にテークバックにはいり、そしてパターフェイス面がインパクトを迎えた時点で構えた時のパターフェイス面の向きと位置が同じに成るように再現させることが求められる、再現性を向上させれば再現力が高まる。これらの二つの基本条件が狙った目標にボールを正しく転がすために重要に成ってくる。
【０００５】
そして、これら二つの基本条件を身に付けるには、一つは、アドレス時に首筋にあたる第４〜６頸椎辺りの位置を中心とする支点からパターヘッドまでの距離を常に一定に保ち、振り子運動をすることによりストレートラインを作り出すことができる。次に再現力を高めるには、ストレートラインの条件の上に、アドレス時に作られた手首と腕の形状を常に一定に保ち振り子運動することが基本条件として求められる。
【０００６】
これら二つの基本条件を身に付ける事が出来るパター練習用具が要望されている。現在パターの技能を身に付けるパター練習用具として、たとえば実用新案登録第３１４９９０６号公報（特許文献１）に記載されているパター練習用具は、首に吊り下げるフレーム部と両腕を固着するための本体部とそれを連結する連結部で構成されており、フレーム部の材質は伸縮性・柔軟性に優れたゴム又はプラスチック類で形成され、本体部の材質は衝撃を吸収できる風船タイプ又はスポンジ製で形成され、連結部は伸縮性・柔軟性に優れたゴム又はナイロン製の布で形成されている。
【０００７】
特許文献１の使用方法に付いて説明すると、先ずフレーム部を首に吊り下げた後、本体部に設けてある両腕を固定する部所で両腕を固定させ両腕と胴体とで囲まれる三角状の間隙を保持し、次にパタークラブを手に持ちパターストロークの練習をするものである。
【０００８】
他のパター練習用具として特再２００２―５５１５９号公報（特許文献２）に記載されてあるパター練習用具は、腕を固定するためのアーム器具とパタークラブを固定するためのクラブ固定具で構成されており、アーム器具やゴルフクラブ固定具の各部の材質は竹製、木製、アルミニュウムやチタンやステンレスなどの金属製又はプラスチック製で形成されている。
【０００９】
特許文献２の使用方法に付いて説明すると、先ず練習者の両腕にアーム器具部で固定し、次にパタークラブをクラブ固定具で固定させ、そしてアーム器具部を両腕に密接させ両腕と胸との間に五角形を形成しそれを維持させながらパターストロークの練習をするものである。
【先行技術文献】
【特許文献】
【００１０】
【特許文献１】実用新案登録第３１４９９０６号公報
【特許文献２】特再２００２−５５１５９号公報
【発明の概要】
【発明が解決しようとする課題】
【００１１】
しかし、特許文献１は用具全体としての形状が変わりやすい材質で形成されているため、又本体部で両腕は固定されるがパタークラブが固定されないためパターの練習方法にあてはめるとパターフェイス面の向きがインパクト時に変わる可能性があり、その結果再現力に問題が出る場合がある。
【００１２】
また、特許文献２は首筋を中心とする振り子運動での練習方法においては首筋の支点を使用者が感じ取れないので支点が動く可能性があり、その結果再現力に問題が出る場合がある。
【００１３】
いずれにしても現在のパター練習用具において首筋を中心とする振り子運動を用いることにより首筋からパターヘッドまでの距離を常に一定に保ち、アドレス時に作られた手首と腕の形状を崩すことなく正しいインパクト時の状態を再現出来、又ストレートライン上をパターヘッドの芯が確実にブレル事無く通過させることが出来る練習用具はいまだかって見たことがなかった。
【課題を解決するための手段】
【００１４】
以上のような課題を解決するために、本発明のパター練習用具は、首にかけるためのフレーム部と、パタークラブを固定する固定手段とその固定手段をフレーム部に連結する連結手段とで構成された固定部と、から成る事を特徴とする。
【００１５】
また、本発明のパター練習用具は、フレーム部が首にかけるための首かけ部を有していることを特徴とする。
【００１６】
また、本発明のパター練習用具は、首かけ部がフレーム部に対して傾斜していることを特徴とする。
【００１７】
そして本発明の基本とする考え方は、首筋を中心とする振り子運動を用いてストレートラインと再現力を向上させることを目的とするため、練習用具を体の箇所に固定させパター練習するのではなく、全体が固定された練習用具にパタークラブを固定し一体化させ、首にかけ首筋を中心とする振り子運動を用いて正しいパターストロークを身に付けられる機能を有するパター練習用具である。
【００１８】
次に本発明のパター練習用具が、ボールから目標までのストレートライン上にボールを真直ぐ転がすために重要となるストレートラインを形成出来、また再現力も達成出来る、その二つの基本条件を満たすパター練習用具であることを振り子運動の原理を図１０を用いて説明する。
【００１９】
まず形状が固定されたＦにあたる部分をフレーム部、形状が固定されたＣにあたる部分をパタークラブ、そのＦとＣを固定する形状が固定されたＫにあたる部分をパター固定部、次にＦの中の支点となるＸをフレーム部の支点、またＣの中のＺをパターヘッド部である。
【００２０】
支点Ｘを中心とする振り子運動を行うと(ａ)の状態となり支点ＸからＺまでの距離と形状がＫで固定されるため一定に保たれ、次に反対方向に振り子運動さすと(ｃ)となりＸからＺまでの距離と形状も一定に保たれる、そのため再び（ｂ）の状態に戻った時に直線Ｓ上にある支点Ｘの位置がブレない限り最初に静止していた形状と同じになる。
【００２１】
次に一体化されたＦ・Ｋ・Ｃが地面Ｍに対し垂直に静止した状態（ｂ）がアドレス時とすると、支点Ｘを中心とし左右に振り子運動させると直線Ｓ上にある支点Ｘの位置がブレない限りＺ部が地面Ｍ上に描き出す線が直線になる事が理解でき、それがストレートラインとなる。
【００２２】
以上のことを本発明のパター練習用具に取り入れてみると、首筋の第４〜６頸椎辺りにフレーム部をかけ、全体が固定されたパター練習用具にパタークラブを固定し一体化させ、フレーム部の支点を中心とし振り子運動を行うとストローク中にパタークラブが誤動作出来なくして要るためアドレス時のパタークラブの状態に自動的に再現でき、またフレーム部の支点からパターヘッド部までの距離と形状も常に一定に保たれるためパターヘッドの芯で理想的なストレートラインも正確に作り出すことができ、また支点がブレないように振り子運動の反復練習をすることにより使用者が望む距離感も安定して出せるようになる。
【００２３】
その結果、本発明のパター練習用具は、体の箇所に練習用具を固定させる事無く、即ちパタークラブ以外を固定しないからこそ自然とパターストロークに必要な腕と体の動きも理解できるようになり、理想的なパターストロークを身に付ける事が出来る機能を有する。
【発明の効果】
【００２４】
本発明のパター練習用具は、パターストローク時に目標に向かってボールを転がすために必要となる二つの基本条件であるストレートラインの実現と再現力を向上さすことを身に付ける事が出来る。
【図面の簡単な説明】
【００２５】
【図１】本発明のパター練習用具の正面図である。
【図２】本発明のパター練習用具の側面図である。
【図３】本発明のパター練習用具の固定部の中の接続手段と固定手段の正面図である。
【図４】本発明のパター練習用具の固定部の中の接続手段と固定手段の側面図である。
【図５】本発明のパター練習用具の固定部の中の接続手段と固定手段の傾斜図である。
【図６】本発明のパター練習用具の固定部の中の接続手段と固定手段の傾斜図である。
【図７】本発明のパター練習用具の固定部の固定手段の正面図（Ｃ）とその側面図（Ｄ）である。
【図８】本発明のパター練習用具の固定部の固定手段の正面図（Ｅ）とその側面図（Ｆ）である。
【図９】本発明のパター練習用具のフレーム部の中の首かけ部の正面図（Ｇ）とその側面図（Ｈ）である。
【図１０】本発明の原理の説明図である。
【図１１】本発明のパター練習用具の他の実施例を示し、正面図である。
【図１２】本発明の使用例を示し、アドレス時の正面図と側面図である。
【発明を実施するための形態】
【００２６】
本発明の実施例を図１と図２を用いて説明すると、首にかけるためのフレーム部１０１と、パタークラブを固定する固定手段１０２ａ・１０２ｂ・１０２ｃ・１０２ｄとその固定手段１０２ａ・１０２ｂ・１０２ｃ・１０２ｄをフレーム部１０１γに連結する連結手段１０３Ｇ・１０３Ｐ・１０３Ｓとで構成された固定部１０４と、から構成されている。
【００２７】
フレーム部１０１について説明すると、形状は逆Ｕ形で作成されていて、その断面形状は四角形で、材質はアルミニュウムが使用されている。尚、フレーム部１０１の形状は図１１（Ｉ〜Ｎ）で示す様に長方形・菱形・円形・楕円形・幾何学形又は（Ｌ）のように形状が半切でも良い。断面形状は四角形以外の円形や楕円形又は三角形でもかまわない、材質もアルミニュウム以外でステンレスやチタン又は塩化ビニールパイプなどでもかまわない。
【００２８】
次に、フレーム部１０１の中に振り子運動をより安定さすため首かけ部１０１αが設けられている。形状は首筋に適合するよう半円形であり、その断面形状は１０１αが円形で１０１βが四角形となり、首かけ部１０１αと１０１βの材質はアルミニュウムが使用されている。尚、首かけ部１０１αの材質はステンレスやチタン又は塩化ビニールパイプなどでもかまわない。
【００２９】
さらに、パターヘッド部の芯でストレートラインをより描き出し易くするため、首かけ部１０１αがフレーム部１０１γに対し斜めに固定され、フレーム部１０１γを地面に対し垂直に近い状態を維持させてある。尚、首かけ部１０１αがフレーム部１０１γに対し平行に固定してもよい。
【００３０】
また、他の首かけ部の形状として図１１で示すように三通りの形状があり、まず一つ目は首かけ部を設けずに直接フレーム部に首をかけ首筋を両側から補助する（Ｉ）タイプであり、二つ目はフレーム部に直接首かけ部の形状を設けた（Ｊ）タイプであり、三つ目は首かけ部を設けずにフレーム部に直接首をかけ、フレーム部が半切り状になる（Ｌ）タイプなどがある。
【００３１】
次に、パタークラブの固定手段１０４はパタークラブと練習用具との一体感を損なわせないために二か所固定とし、図７と図８の固定手段１０２ａでパターグリップ部１０５ａを固定し、固定手段１０２ｂでパターシャフト部１０５ｂを固定し、断面形状は円形で、その材質は固定力に優れたプラスチック類を使用し、また固定手段１０２ｃと１０２ｄの断面形状は四角形で、材質はアルミニュウムが使用されている。尚、他の固定手段の例として図１１（Ｉ）の一か所固定の構造の場合パターシャフト部を一か所固定してもよい。
【００３２】
次は、練習者それぞれの体系及び好みのパッティングスタイルに対応出来る様、連結手段である図３の１０３Ｇを上下に動かしパターグリップ部１０５ａの高さを調整でき、連結手段１０３Ｐを横軸とした連結手段１０３Ｓを左右に動かし、パタークラブのグリップ部１０５ａの位置を左右に調節でき、連結手段１０３Ｇと１０３Ｓの断面形状は四角形で、材質は固定力に優れたプラスチック類を使用し、連結手段１０３Ｐの断面形状は四角形で、材質はアルミニュウムである。また固定手段である図４の１０２ｃと１０２ｄを前後させ、パタークラブのライ角（パターシャフトの傾斜角）を調整できる構造となる。
【００３３】
本発明の取り扱い方法に付いて図１２を参照して説明すると、まずフレーム部の中の首かけ部を首筋の第４〜第６頸椎辺りにかけ、垂直に近い状態でフレーム部を振り子運動できるようにし、次にクラブ固定部にパタークラブのグリップ部を理想的な位置に固定し一体化させ、グリップ部を手に持ち首筋を中心とした振り子運動を使い肩を回転させることにより固定されたパタークラブが自動的に正しい動きを始めそれに合わせ、アドレス時に作られた手首と腕の形状を崩すことなくストレートラインをイメージしながらパターストロークする。それを反復練習することにより余分な動きをしてはいけない事を知り、自然と正しい体の使い方を理解できるようになり、最良のパターストロークを身に付けられるものである。
【００３４】
また、左利き用としても問題なく使用でき、長尺パターの練習用としても同じ構造と機能で対応することができる。尚パター練習用だけでなく、ボールからカップまで２０〜３０ヤードまでのアプローチショットの練習用としても使用することができ、またゴルフスイングを行うためのイメージスイングの練習用として対応出来る様、フレーム部の中央部が紐やゴム製の構造にしてもよい。
【符号の説明】
【００３５】
１０１フレーム部
１０１γフレーム部本体
１０１α・βフレーム部の中の首かけ部
１０２ａ・ｂ・ｃ・ｄ固定部の中の固定手段
１０３Ｇ・Ｐ・Ｓ固定部の中の連結手段
１０４固定部
１０５ａパターグリップ部
１０５ｂパターシャフト部
【図１】
2012139357.tif 000003
【図２】
2012139357.tif 000004
【図３】
2012139357.tif 000005
【図４】
2012139357.tif 000006
【図５】
2012139357.tif 000007
【図６】
2012139357.tif 000008
【図７】
2012139357.tif 000009
【図８】
2012139357.tif 000010
【図９】
2012139357.tif 000011
【図１０】
2012139357.tif 000012
【図１１】
2012139357.tif 000013
【図１２】
2012139357.tif 000014